(57)【要約】      （修正有）【課題】外観が良く、コマーシャルも入れることが出来る様にポンプ押えの絵柄が交換できるようにした手動型のソープディスペンサーを提供する。【解決手段】ソープディスペンサーであって、交換できるポンプ押さえ３と底板４により構成され中空カバー、本体の内部に取り付けられた容器７、容器７の末端に取り付けられた吸気バルブ８、容器７の先端と連結されたノズル１２、のディスペンス口内に設けられた換気用穴の出口１１が含まれる。その中、ポンプ押さえには絵柄或いは文字がプリントされたプレート或いは枠１４であって、ポンプ押さえ３とベッド４がネジ５によって連結されて、ポンプ押さえが交換できる。【選択図】図１
0003174266.tif 000002
【実用新案登録請求の範囲】
【請求項１】
一種のソープディスペンサーであって、交換できるポンプ押えとベッドにより構成された中空本体、本体の内部に取り付けられた容器、前記の容器の末端に取り付けられた吸気バルブ、前記容器の先端と連結されたノズル、前記ノズル内に設けられた換気用出口が含まれ、
前記ポンプ押さえは絵柄と文字がプリントされたプレート或いは枠を有し、前記ポンプ押さえと前記ベッドはネジにより連結され、前記ポンプ押さえが交換できる様にしていることを特徴としている。
【請求項２】
前記ポンプ押さえとベッドは、プラスチック膜圧により矩形になって、前記ネジはソープディスペンサー内の容器をロックし、前記ネジの末端の突出部が、前記容器の穴通路の内部に入って角度を調整することにより、押え力と戻し位置を制御し、ポンプ押さえがアーチ形状で、前記ポンプ押さえ内部には傾斜になっている押え溝があることを特徴とする前記請求項１に記載のソープディスペンサー。
【請求項３】
前記容器の正面が滑らかでアーチ形状で、背面に溝が設けられ、ベッド内部の溝を固定するのに用いることを特徴とする前記請求項１に記載のソープディスペンサー。
【請求項４】
前記絵柄或いは写真がプリントされたパネル或いは枠は、プラスチック、金属、ガラス、木材、陶器、石、繊維、貝殻、紙プレート、磁石、革により製造できることを特徴とする前記請求項２に記載のソープディスペンサー。
【請求項５】
前記ポンプ押えには穴が設けられ、ネジにより前記のポンプ押えと前記の絵柄或いは写真がプリントされたパネル或いは枠が連結されることを特徴とする前記請求項２に記載のソープディスペンサー。
【請求項６】
前記容器の先端には換気用穴の安定器が取り付けられ、前記の容器の先端と前記の換気用出口の前に設けられることを特徴とする前記請求項２に記載のソープディスペンサー。
【請求項７】
前記の容器の先端と換気用穴の安定器の間にシリコンゴムの丸型敷物が設けられることを特徴とする前記請求項６に記載のソープディスペンサー。
【請求項８】
前記ノズルの先端に更に保護カバーが設けられることを特徴とする前記請求項６に記載のソープディスペンサー。
【請求項９】
前記のポンプ押えの末端には遮蔽板が取り付けられ、前記容器が本体に内蔵されることを特徴とする前記請求項８に記載のソープディスペンサー。
【請求項１０】
前記ベッドに幾つかの丸穴が設けられ、ネジによりソープディスペンサーを壁に固定するのに用いることを特徴とする前記請求項１に記載のソープディスペンサー。
【考案の詳細な説明】
【技術分野】
【０００１】
本発明は一種の日常生活用品であるソープディスペンサーに関わるもので、特にポンプ押えの絵柄が交換できる手動型のソープディスペンサーに関わるものである。
【背景技術】
【０００２】
現在、家庭、ホテル、レストラン及び公共場所で使用されるソープディスペンサーは、主に手動型と電子誘導型のソープディペンサーに分けられる。
【考案の概要】
【考案が解決しようとする課題】
【０００３】
しかしながら、そのデザインが単色で簡単な設計を採用しているので、外観全体から見ると非常に単調で、堅苦しい。また通常、ポンプ押さえが空白パネルで、交換ができないので、潜在的なビジネスチャンスを逃すことになる。そこで、本発明はちょうど上記の欠点を改善している。
【課題を解決するための手段】
【０００４】
既存技術におけるソープでスペンサーのポンプ押えのパネルが単調である欠点を解決する為、本発明ではパネルの絵柄が交換できるソープディスペンサーを提供している。その中には下記のものが含まれている。交換できるポンプ押さえとベッドにより構成される中空本体、本体の内部に取り付けられた容器、前記の容器の末端に取り付けられた吸気バルブ、前記容器の先端と連結されたノズル、前記のノズル内に設けられた換気用出口（その中、前記ポンプ押さえには絵柄或いは文字がプリントされたプレート或いは枠がある）、前記ポンプ押さえと前記ベッドがネジにより連結されて、前記のポンプ押さえが交換できる様にしている。その主要目的は、ソープディスペンサーの外観を飾り、ポンプ押さえを交換してポンプ押さえのプレート或いは枠を利用して、絵柄、文字或いはコマーシャルを入れることにより、ソープディペンさーの外観だけでなく、この小さい空白のパネルによって収入を増やし、ビジネスチャンスを作るのである。
【０００５】
本発明では主に、ポンプ押さえに絵柄、文字或いはコマーシャルがプリントされたパネルを貼り付け、ポンプ押さえを異なる円弧によって異なるアーチ形状を設計することができ、ホテルに本発明のソープディペンさーを掛けると壁を飾ることになり、経営者は本発明を利用して自己商品或いはサービスの為の宣伝を行うことができる。周知の通りに、汎用のソープディスペンサーはショッピングセンターと公共場所のトイレの中に設置されるが、これらの場所は常に人の流れが多く、トイレも利用されることになるが、手を洗った後必ずソープディスペンサーとポンプ押さえを使うことになり、使用者はポンプ押え上の絵柄或いはコマーシャル写真に注意を掛けるので、使用者の消費欲を刺激することになる。
【０００６】
本発明におけるポンプ押さえは自由に交換できる様に設計され、ある程度使用された後、古いパネルを外して、新しいパネルを掛け、異なる祭りのテーマと雰囲気に合わせることで、ソープディスペンサーの外観をきれいにするほか、トイレとその壁を飾ることができる。
【０００７】
本発明における容器の正面と背面はそれぞれデザインが異なって、正面が滑らかな表面でアーチ形状で、小さい力でもスムーズに押えられ、ソープが出てくる様になり、背面には溝が設けられ、ベッドの内部に設けられた容器の溝に合わせて、容器の溝を傾斜になる様にして、容器が本体の中で動かない様にするほか、容器が平均に力を受け、指で両側を押えてソープが出てくる様にしている。ソープが使い切れて補充する場合、容器を取外して、新しい容器を取り付けるだけで簡単に済む。容器は必ず元のメーカの製品でなければ容器の溝の中に入れることができない。使用するのに非常に簡単で便利である。
【０００８】
経営者はレンタルで借りることもできるので、貸し出し方は収入を増やすことができ、使用される方は低いコストで自己製品或いはサービスの宣伝或いはビジネス知名度を上げることができ、一挙両得で、ビジネス空間を広げることができる。
【図面の簡単な説明】
【０００９】
【図１】本発明における構造図である。
【図２】本発明における構造図である。
【図３】本発明における容器正面とその他組み立て品の斜視図である。
【図４】本発明における容器の背面とその組立て品の斜視図である。
【図５】本発明における外観斜視図である。
【図６】本発明におけるポンプ押え内部の構造斜視図である。
【図７】本発明におけるベッド内部の構造斜視図である。
【図８】本発明におけるベッドの外観斜視図である。
【図９】本発明におけるトップの構造図である。
【図１０】本発明におけるベッドの構造図である。
【図１１ａ】本発明のポンプ押えの異なる円弧でのデザインの斜視図である。
【図１１ｂ】本発明のポンプ押えの異なる円弧でのデザインの斜視図である。
【図１１ｃ】本発明のポンプ押えの異なる円弧でのデザインの斜視図である。
【図１１ｄ】本発明のポンプ押えの異なる円弧でのデザインの斜視図である。
【図１２ａ】本発明に使用される丸型敷物を示す平面図と断面図である。
【図１２ｂ】本発明に使用される換気口安定器を示す平面図と断面図である。
【図１２ｃ】ノズルの平面図と断面図である。
【考案を実施するための形態】
【００１０】
以下実施例に合わせて本発明について更に説明する。
【００１１】
図１と図２に示す通り、本発明による優先実施例のソープディスペンサーであって、交換可能のポンプ押え３とベッド４により構成された中空本体２、本体２の内部に取り付けられた容器７、前記容器７の末端に取り付けられた吸気バルブ８、前記容器７の先端と連結されたノズル12、前記ノズル内に設けられた換気用出口11が含まれる。前記ポンプ押さえ３は、絵柄或いは文字がプリントされたパネル或いは枠14を有し、前記ポンプ押さえ３と前記ベッド４がネジにより連結されて、前記のポンプ押え3が交換できる様にしている。
【００１２】
更に詳しく説明すると、ソープディスペンサー１は下記のものが含まれることを優先とする。一対の結合できる中空本体２。前記の中空本体２は、ポンプ押さえ３とベッド４により構成され、ポンプ押さえ３とベッド４はプラスチック膜圧により矩形に構成され、二辺が波線或いは円弧曲線になっている。六角ネジ５によりポンプ押さえ３とベッド４の穴通路６が連結され締め付けられている。本体２の内部に取り付けられたプラスチック容器７。容器７の末端に取り付けられたシリコンゴムの吸気バルブ８。容器７と連結されたノズル12内に、容器７の先端に取り付けられたシリコンゴムの敷物９、プラスチック換気用穴の安定器10、シリコンゴムの換気用穴の出口11が内蔵される。ノズル12の先端には保護カバー13が取り付けられている。ポンプ押さえ３に貼付け或いは固定された絵柄や文字或いは写真141が付いてあるパネル14、或いはポンプ押さえ３に固定された画像或いは写真（図無し）、ポンプ押さえ３の末端には遮蔽パネル15が取り付けられ、容器７が本体２の中に内蔵されている。
【００１３】
前記吸気バルブ、丸型敷物、換気用穴の出口は出来る限りシリコンゴムを採用し、シリコンゴムの強靭さと自動収縮の特性を利用して、ソープディスペンサーの漏れを低減することができる。
【００１４】
前記六角ネジ５は容器７をソープディスペンサーの中にロックすることにより、容器７の紛失或いは破損を防止し、同時にネジ５の末端の突出部を容器７の穴通路6内に入れることで、角度を調整することにより押える力と戻し位置を制御することができる。
【００１５】
前記の絵柄或いは写真付きのパネルは、プラスチック、金属、ガラス、木材、陶器、石、貝殻、紙プレート、磁石、PU、PVC或いは革により製造することができる。
【００１６】
図３に示す容器７の末端にはシリコンゴムの吸気バルブ８が取り付けられ、容器７内の圧力を緩和し、容器７の先端にはノズル12が連結され、ノズル12には換気用穴の出口11が内蔵され、丸型敷物９、換気用穴の安定器10、換気用穴の出口11が容器７と連結され、容器７の正面が滑らかで、アーチ形状になって、ポンプ押さえ３を押える際、容器の圧力がスムーズになる様にし、小さい力で押せばソープが出てくる様にしている。
【００１７】
図４に示す容器７の背面には溝５aが設けられ、ベッド４の内部に合わせて容器７の溝４aが設けられ、その溝４aが傾斜になって、容器７が本体２の中で揺れない様にするほか、指により両方から押える様にして、容器７が均一に力を受けてソープを出す様にしている。
【００１８】
図５に示すソープディスペンサー１には、一組の相互結合された中空本体２が含まれ、それがポンプ押さえ３とベッド4により構成され、ポンプ押え３には絵柄、文字或いはコマーシャル写真を入れることが出来る。
【００１９】
図６に示すソープディスペンサーのポンプ押さえ３の内部には、溝３aが設けられ、ポンプ押さえを押す際、溝３aにより容器７が力を受けて変形して、内部のソープが底部から出口に出てくるのである。
【００２０】
図７に示すソープディスペンサーのベッド４の内部には、容器７に対する溝４aが設けられ、容器７が安定して本体２に置かれる様にし、ポンプ押さえを押さえる際、溝４aが均一した力を提供して容器７が力を受けて変形して、内部のソープが底部の出口から出てくる様にしている。
【００２１】
図８に示すソープディスペンサーのベッド４には幾つかの丸穴４bが設けられ、ネジにて壁に固定できる様にしている。
【００２２】
図９は前記ソープディスペンサー１の俯瞰構造図である。
【００２３】
図10は前記ソープディスペンサー１の俯瞰構造図である。
【００２４】
図11a、図11b、図11cと図11dは本発明のおけるポンプ押さえの異なる円弧デザイン斜視図である。
【００２５】
図12a、図12bと12cは本発明で使用した丸型敷物、換気用穴の安定器、ノズル俯瞰図と断面図である。
【符号の説明】
【００２６】
１・・・ソープディスペンサー
２・・・中空本体
３・・・ポンプ押え
３a・・・溝
４・・・ベッド
４a・・・溝
４b・・・丸穴
５・・・ネジ
５a・・・溝
６・・・穴通路
７・・・容器
８・・・吸気バルブ
９・・・敷物
10・・・安定器
11・・・換気用出口
12・・・ノズル
13・・・保護カバー
14・・・プレート、パネル或いは枠
15・・・遮蔽パネル
141・・・絵柄や文字或いは写真
【図１】
0003174266.tif 000003
【図２】
0003174266.tif 000004
【図３】
0003174266.tif 000005
【図４】
0003174266.tif 000006
【図５】
0003174266.tif 000007
【図６】
0003174266.tif 000008
【図７】
0003174266.tif 000009
【図８】
0003174266.tif 000010
【図９】
0003174266.tif 000011
【図１０】
0003174266.tif 000012
【図１１ａ】
0003174266.tif 000013
【図１１ｂ】
0003174266.tif 000014
【図１１ｃ】
0003174266.tif 000015
【図１１ｄ】
0003174266.tif 000016
【図１２ａ】
0003174266.tif 000017
【図１２ｂ】
0003174266.tif 000018
【図１２ｃ】
0003174266.tif 000019